(57)【要約】      （修正有）【課題】折り鶴が遊動して、一対の羽、頭、尾及び胴体が周辺に当接して変形することがなく、簡単な構造にて、安価な包装が可能な折り鶴の装着体を提供する。【解決手段】頭７ａ及び尾７ｂを立設した胴体７ｃに、左右の互いに平行する折り目７ｅをもって横設した開閉自在なる一対の羽７ｇのうち、一方の羽は頭及び尾と同一なる上方向に、他方の羽は頭及び尾と反対なる下方向とするところの、一対の羽を頭、尾及び胴体とともに扁平状に折り畳んだ折り鶴７の上方向の羽と胴体下部を、弾力性を有する平面板９に配設したところの、開閉自在なる上下開口辺１０ａ、１０ｂを有する分割線１０の上下開口辺間に装入し、上下開口辺のうちの一方の上開口辺は、折り鶴の上方向なる羽と胴体上部７ｈ間の折り畳み溝に、他方の下開口辺は、折り鶴の下方向なる羽と胴体下部間の折り畳み溝にそれぞれ挟着して、折り鶴を固着した装着体８。【選択図】図１０
0003203842.tif 000002
【実用新案登録請求の範囲】
【請求項１】
頭及び尾を立設した胴体に、左右の互いに平行する折り目をもって横設した開閉自在なる一対の羽のうち、一方の羽は前記頭及び尾と同一なる上方向に、他方の羽は前記頭及び尾と反対なる下方向とするところの、前記一対の羽を前記頭、尾及び胴体とともに扁平状に折り畳んだ折り鶴の前記上方向の羽と胴体下部を、弾力性を有する平面板に配設したところの、開閉自在なる上下開口辺を有する分割線の前記上下開口辺間に装入し、前記上下開口辺のうちの一方の上開口辺は、前記折り鶴の上方向なる羽と胴体上部間の折り畳み溝に、他方の下開口辺は、前記折り鶴の下方向なる羽と胴体下部間の折り畳み溝にそれぞれ挟着して、前記折り鶴を固着した装着体。
【請求項２】
前記分割線の両端の延長に、対向する一対の延長分割線を連設したところの皿形分割線を配設した請求項１記載の装着体。
【請求項３】
前記分割線に平行して対向分割線を配設し、前記分割線に装入した前記折り鶴の上方向の羽と胴体下部のうちの上方向の羽を、さらに、前記対向分割線より突出した請求項１又は２記載の装着体。
【請求項４】
前記平面板を、一対の斜面と底面からなる三角筒の一方の斜面とし、前記平面板の対向する上下対辺の延長に、他方の斜面と底面を折り目をもつて付設した請求項１、２又は３記載の装着体。
【請求項５】
断面形状を二等辺三角形とした前記三角筒の底面に、三角の開閉自在なる折り目に平行して二等分するところの開閉自在なる折り目を配設し、この底面の対向する二角内に両端を挟着されるところの押止板を、前記底面上に付設した請求項４記載の装着体。
【請求項６】
前記三角筒の頂上を対称軸として、一対の斜面のうちの一方の斜面に設けたところの前記分割線と対称となる斜面分割線を他方の斜面に配設し、前記分割線に装入した前記折り鶴の上方向の羽と胴体下部のうちの上方向の羽を、さらに、前記斜面分割線より突出した請求項４又は５記載の装着体。
【請求項７】
前記平面板を、この対向する上下対辺を支点として彎曲する半円筒の彎曲面とし、この上下対辺の延長に、折り目をもつて底面を付設した請求項１、２又は３記載の装着体。
【請求項８】
前記平面板と、この対向する上下対辺の延長に開閉自在なる折り目もって付設したところの、扁平状に互いに重ね合わせられる同等の大きさからなる底板に、前記平面板の上下対辺に平行する開閉自在なる蛇腹折り目を配設し、この蛇腹折り目をもって前記底板を折り重ね、かつ、互いに接着したところの多層底面を付設した請求項７記載の装着体。
【請求項９】
前記平面板を、この対向する上下対辺の延長に付設した一対の重ね代のうちの、一方の重ね代を他方の重ね代の上に重ね合わせた円筒の彎曲面とし、前記平面板の上下対辺上に弦を有するところの弓形分割線により形成される一対の開閉自在なる開放板を前記彎曲面に配設して、前記重ね代の先端の延長に、この先端上に弦を有するところの弓形の一対の延長板を付設し、この一対の延長板のうちの前記彎曲面内側に位置する一方の前記延長板を、一対の前記開放板のうちの一方の開放した前記開放板による開口内に装入し、他方の前記彎曲面外側に位置する他方の前記延長板上に、他方の開放した前記開放板を載置し、一対の併設された前記延長板と前記開放板を、水平状態にて互いにそれぞれ接着したところの一対の支持板を配設した請求項１、２又は３記載の装着体。
【考案の詳細な説明】
【技術分野】
【０００１】  本考案は、折り鶴の包装や展示における装着体に関するものである。
【背景技術】
【０００２】  従来の折り鶴の包装・展示において、折り鶴の材質・形状等より、折り鶴が安定状態にならないという問題があった。【０００３】  以下、従来の包装形態１・展示形態１を、図面を参照して説明する。【０００４】  従来の包装形態１を示す図１〜３において、正方形の折り紙からなる折り鶴１は、頭１ａ及び尾１ｂを立設した胴体１ｃに、正面から見て左右の互いに平行する折り目１ｄ・１ｅをもって、開閉自在なる左右の羽１ｆ・１ｇを横設し、また、折り目１ｄ・１ｅを境にして構成される胴体上部１ｈと胴体下部１ｉのうちの胴体上部１ｈを間にして、左右の羽１ｆ・１ｇを上方向に、頭１ａ、尾１ｂ及び胴体１ｃとともに扁平状に折り畳み、この折り鶴１が遊動することのないように、二つ折りした収納台紙２間に内設し、この収納台紙２外周を接着テープ３等にて互いに接合している。【０００５】  従来の展示形態１を示す図４〜６において、折り鶴４は、上述の従来の包装形態１における折り鶴１と同等であり、頭４ａ、尾４ｂ、胴体４ｃ、折り目４ｄ・４ｅ、羽４ｆ・４ｇ、胴体上下部４ｈ・４ｉは、上述の従来の包装形態１における折り鶴１の頭１ａ、尾１ｂ、胴体１ｃ、折り目１ｄ・１ｅ、羽１ｆ・１ｇ、胴体上下部１ｈ・１ｉにそれぞれ相当するものであるが、羽４ｆ・４ｇは、折り目４ｄ・４ｅをもって左右にほぼ水平方向に開いた状態としており、折り鶴４が遊動することのないように、折り鶴４の胴体下部４ｉを対応的な凹凸部５をもって密設する展示台６を設けている。
【考案の概要】
【考案が解決しようとする課題】
【０００６】  折り鶴は紙製にて柔軟であるとともに、一対の羽、頭及び尾の先端が鋭角的に形成されており、従来の包装・展示における収納台紙又は展示台は、折り鶴が遊動して変形することのないように、ある程度、複雑・堅固な構造として高価となっていたが、遊動することがなく、一対の羽、頭、尾及び胴体が周辺に当接して折り鶴が変形することのない、簡単な構造にて安価な包装・展示が可能な折り鶴の装着体を得ることを目的とする。
【課題を解決するための手段】
【０００７】  本考案の第一の課題解決手段は、頭及び尾を立設した胴体に、左右の互いに平行する折り目をもって横設した開閉自在なる一対の羽のうち、一方の羽は頭及び尾と同一なる上方向に、他方の羽は頭及び尾と反対なる下方向とするところの、一対の羽を頭、尾及び胴体とともに扁平状に折り畳んだ折り鶴の上方向の羽と胴体下部を、弾力性を有する平面板に配設したところの、開閉自在なる上下開口辺を有する分割線の上下開口辺間に装入し、上下開口辺のうちの一方の上開口辺は、折り鶴の上方向なる羽と胴体上部間の折り畳み溝に、他方の下開口辺は、折り鶴の下方向なる羽と胴体下部間の折り畳み溝にそれぞれ挟着して、折り鶴を固着した装着体とするものである。【０００８】  本考案の第二の課題解決手段は、上述の第一の課題解決手段となる装着体において、分割線の両端の延長に、対向する一対の延長分割線を連設したところの皿形分割線を配設した装着体とするものである。【０００９】  本考案の第三の課題解決手段は、上述の第一又は第二の課題解決手段となる装着体において、分割線に平行して対向分割線を配設し、分割線に装入した折り鶴の上方向の羽と胴体下部のうちの上方向の羽を、さらに、対向分割線より突出した装着体とするものである。【００１０】  本考案の第四の課題解決手段は、上述の第一、第二又は第三の課題解決手段となる装着体において、平面板を、一対の斜面と底面からなる三角筒の一方の斜面とし、平面板の対向する上下対辺の延長に、他方の斜面と底面を折り目をもつて付設した装着体とするものである。【００１１】  本考案の第五の課題解決手段は、上述の第四の課題解決手段となる装着体において、断面形状を二等辺三角形とした三角筒の底面に、三角の開閉自在なる折り目に平行して二等分するところの開閉自在なる折り目を配設し、この底面の対向する二角内に両端を挟着されるところの押止板を、底面上に付設した装着体とするものである。【００１２】  本考案の第六の課題解決手段は、上述の第四又は第五の課題解決手段となる装着体において、三角筒の頂上を対称軸として、一対の斜面のうちの一方の斜面に設けたところの分割線と対称となる斜面分割線を他方の斜面に配設し、分割線に装入した折り鶴の上方向の羽と胴体下部のうちの上方向の羽を、さらに、斜面分割線より突出した装着体とするものである。【００１３】  本考案の第七の課題解決手段は、上述の第一、第二又は第三の課題解決手段となる装着体において、平面板を、この対向する上下対辺を支点として彎曲する半円筒の彎曲面とし、この上下対辺の延長に、折り目をもつて底面を付設した装着体とするものである。【００１４】  本考案の第八の課題解決手段は、上述の第七の課題解決手段となる装着体において、平面板と、この対向する上下対辺の延長に開閉自在なる折り目もって付設したところの、扁平状に互いに重ね合わせられる同等の大きさからなる底板に、平面板の上下対辺に平行する開閉自在なる蛇腹折り目を配設し、この蛇腹折り目をもって底板を折り重ね、かつ、互いに接着したところの多層底面を付設した装着体とするものである。【００１５】  本考案の第九の課題解決手段は、上述の第一、第二又は第三の課題解決手段となる装着体において、平面板を、この対向する上下対辺の延長に付設した一対の重ね代のうちの、一方の重ね代を他方の重ね代の上に重ね合わせた円筒の彎曲面とし、平面板の上下対辺上に弦を有するところの弓形分割線により形成される一対の開閉自在なる開放板を彎曲面に配設して、重ね代の先端の延長に、この先端上に弦を有するところの弓形の一対の延長板を付設し、この一対の延長板のうちの彎曲面内側に位置する一方の延長板を、一対の開放板のうちの一方の開放した開放板による開口内に装入し、他方の彎曲面外側に位置する他方の延長板上に、他方の開放した開放板を載置し、一対の併設された延長板と開放板を、水平状態にて互いにそれぞれ接着したところの一対の支持板を配設した装着体とするものである。
【考案の効果】
【００１６】  上述の様に第一の考案効果は、頭及び尾を立設した胴体に、左右の互いに平行する折り目をもって横設した開閉自在なる一対の羽のうち、一方の羽は頭及び尾と同一なる上方向に、他方の羽は頭及び尾と反対なる下方向とするところの、一対の羽を頭、尾及び胴体とともに扁平状に折り畳んだ折り鶴の上方向の羽と胴体下部を、弾力性を有する平面板に配設したところの、開閉自在なる上下開口辺を有する分割線の上下開口辺間に装入し、上下開口辺のうちの一方の上開口辺は、折り鶴の上方向なる羽と胴体上部間の折り畳み溝に、他方の下開口辺は、折り鶴の下方向なる羽と胴体下部間の折り畳み溝にそれぞれ挟着して、折り鶴を固着した装着体は、平面板に設けた分割線に装入した折り鶴は、遊動することがなく、周辺に当接して変形することのない、簡単な構造にて安価な包装・展示が可能な折り鶴の装着体となる。【００１７】  また、第二の考案効果は、上述の第一の考案効果となる装着体において、分割線の両端の延長に、対向する一対の延長分割線を連設したところの皿形分割線を配設した装着体は、分割線の両端に延長分割線を有する皿形分割線により、折り鶴の装入が容易となり、折り鶴の固着がより簡単な装着体となる。【００１８】  また、第三の考案効果は、上述の第一又は第二の考案効果となる装着体において、分割線に平行して対向分割線を配設し、分割線に装入した折り鶴の上方向の羽と胴体下部のうちの上方向の羽を、さらに、対向分割線より突出した装着体は、分割線内に装入された上方向の羽が、対向分割線より突出して、装着体の裏側より表側に展示されて、折り鶴の姿のほぼ全体が鑑賞できる装着体となる。【００１９】  また、第四の考案効果は、上述の第一、第二又は第三の考案効果となる装着体において、平面板を、一対の斜面と底面からなる三角筒の一方の斜面とし、平面板の対向する上下対辺の延長に、他方の斜面と底面を折り目をもつて付設した装着体は、分割線を有する平面板を、三角筒の斜面として安定するとともに、折り鶴がほぼ正面より鑑賞できる装着体となる。【００２０】  また、第五の考案効果は、上述の第四の考案効果となる装着体において、断面形状を二等辺三角形とした三角筒の底面に、三角の開閉自在なる折り目に平行して二等分するところの開閉自在なる折り目を配設し、この底面の対向する二角内に両端を挟着されるところの押止板を、底面上に付設した装着体は、三角筒の底面を二等分する折り目をもって折り畳み式となるとともに、取り除かないかぎり、底面が折り畳まれることのない押止板により、より安定する装着体となる。【００２１】  また、第六の考案効果は、上述の第四又は第五の考案効果となる装着体において、三角筒の頂上を対称軸として、一対の斜面のうちの一方の斜面に設けたところの分割線と対称となる斜面分割線を他方の斜面に配設し、分割線に装入した折り鶴の上方向の羽と胴体下部のうちの上方向の羽を、さらに、斜面分割線より突出した装着体は、左右斜面のうちの右斜面に装入された上方向の羽が、斜面分割線より突出して、左斜面表側に展示されて、折り鶴の姿のほぼ全体が鑑賞できる装着体となる。【００２２】  また、第七の考案効果は、上述の第一、第二又は第三の考案効果となる装着体���おいて、平面板を、この対向する上下対辺を支点として彎曲する半円筒の彎曲面とし、この上下対辺の延長に、折り目をもつて底面を付設した装着体は、分割線を有する平面板を、半円筒の彎曲面として安定するとともに、折り鶴がほぼ正面より鑑賞できる装着体となる。【００２３】  また、第八の考案効果は、上述の第七の考案効果となる装着体において、平面板と、この対向する上下対辺の延長に開閉自在なる折り目もって付設したところの、扁平状に互いに重ね合わせられる同等の大きさからなる底板に、平面板の上下対辺に平行する開閉自在なる蛇腹折り目を配設し、この蛇腹折り目をもって底板を折り重ね、かつ、互いに接着したところの多層底面を付設した装着体は、半円筒の彎曲面となる平面板と、互いに重ね合わせのできる同等の大きさからなる底板を、蛇腹折り目をもって半円筒の多層底面とした折り畳み式の装着体となる。【００２４】  また、第九の考案効果は、上述の第一、第二又は第三の考案効果となる装着体において、平面板を、この対向する上下対辺の延長に付設した一対の重ね代のうちの、一方の重ね代を他方の重ね代の上に重ね合わせた円筒の彎曲面とし、平面板の上下対辺上に弦を有するところの弓形分割線により形成される一対の開閉自在なる開放板を彎曲面に配設して、重ね代の先端の延長に、この先端上に弦を有するところの弓形の一対の延長板を付設し、この一対の延長板のうちの彎曲面内側に位置する一方の延長板を、一対の開放板のうちの一方の開放した開放板による開口内に装入し、他方の彎曲面外側に位置する他方の延長板上に、他方の開放した開放板を載置し、一対の併設された延長板と開放板を、水平状態にて互いにそれぞれ接着したところの一対の支持板を配設した装着体は、分割線を有する平面板を、円筒の彎曲面とし、水平状態となる一対の支持板により安定するとともに、折り鶴がほぼ正面より鑑賞できる装着体となる。
【図面の簡単な説明】
【００２５】
【図１】従来の包装形態１を示す折り鶴の斜視図である。
【図２】同折り鶴の頭側より見た要部断面図である。
【図３】同二つ折りした収納台紙間に内設した折り鶴の要部断面図である。
【図４】従来の展示形態１を示す折り鶴の斜視図である。
【図５】同折り鶴の頭側より見た要部断面図である。
【図６】同展示台の凹凸部内に密設した折り鶴の要部断面図である。
【図７】本考案の実施の形態１を示す折り鶴の斜視図である。
【図８】同折り鶴の頭側より見た要部断面図である。
【図９】同装着体の平面図である。
【図１０】同折り鶴を固着した装着体の斜視図である。
【図１１】本考案の実施の形態２を示す装着体の平面図である。
【図１２】同折り鶴を固着した装着体の斜視図である。
【図１３】本考案の実施の形態３を示す装着体の平面図である。
【図１４】同折り鶴を固着した装着体の斜視図である。
【図１５】本考案の実施の形態４を示す装着体の展開図である。
【図１６】同折り鶴を固着した装着体の斜視図である。
【図１７】本考案の実施の形態５を示す装着体の展開図である。
【図１８】同折り畳んだ装着体の横側より見た要部断面図である。
【図１９】同押止板の平面図である。
【図２０】同折り鶴を固着した装着体の斜視図である。
【図２１】本考案の実施の形態６を示す装着体の展開図である。
【図２２】同折り鶴を固着した装着体の斜視図である。
【図２３】本考案の実施の形態７を示す装着体の展開図である。
【図２４】同折り鶴を固着した装着体の斜視図である。
【図２５】本考案の実施の形態８を示す装着体の展開図である。
【図２６】同折り畳んだ装着体の横側より見た要部断面図である。
【図２７】同折り鶴を固着した装着体の斜視図である。
【図２８】本考案の実施の形態９を示す装着体の展開図である。
【図２９】同組立した装着体の横側より見た要部断面図である。
【図３０】同折り鶴を固着した装着体の斜視図である。
【考案を実施するための形態】
【００２６】  以下、本考案の実施の形態を実施例にもとづき図面を参照して説明する。
【実施例１】
【００２７】  実施の形態１を示す図７〜１０において、分割線１０を配設した平面板９に、折り畳んだ折り鶴７を固着する装着体８の実施例である。【００２８】  装着体８は、弾力性を有するところの厚み０．２ｍｍ程度の普通紙よりなる、四辺９ａ〜９ｄからなる四辺形の平面板９に、上辺９ａに平行して、開閉自在なる上下開口辺１０ａ・１０ｂを有する分割線１０を配設している。【００２９】  折り鶴７は、上述の従来の包装形態１における折り鶴１と同等であり、頭７ａ、尾７ｂ、胴体７ｃ、折り目７ｄ・７ｅ、羽７ｆ・７ｇ、胴体上下部７ｈ・７ｉは、上述の従来の包装形態１における折り鶴１の頭１ａ、尾１ｂ、胴体１ｃ、折り目１ｄ・１ｅ、羽１ｆ・１ｇ、胴体上下部１ｈ・１ｉにそれぞれ相当するものであるが、一対の羽７ｆ・７ｇのうち、一方の羽７ｆは折り目７ｄをもって、頭７ａ及び尾７ｂと同一なる上方向に、また、他方の羽７ｇは折り目７ｅをもって、頭７ａ及び尾７ｂと反対なる下方向に、それぞれ頭７ａ、尾７ｂ及び胴体７ｃとともに扁平状に折り畳んでいる。【００３０】  なお、上方向に折り畳まれた羽７ｆと、胴体上部７ｈの間には、折り畳み溝７ｌを形成するとともに、下方向に折り畳まれた羽７ｇと、胴体下部７ｉの間には、折り畳み溝７ｍを形成している。【００３１】  したがって、折り鶴７の上方向の羽７ｆと胴体下部７ｉを、分割線１０内に装入して、分割線１０の上開口辺１０ａを、折り鶴７の上方向なる羽７ｆと胴体上部７ｈ間の折り畳み溝７ｌに挟着し、また、下開口辺１０ｂを、折り鶴７の下方向なる羽７ｇと胴体下部７ｉ間の折り畳み溝７ｍに挟着するならば、折り畳まれた折り鶴７は装着体８に固着されて、動きが規制されて遊動することはなく、一対の羽７ｆ・７ｇ、頭７ａ、尾７ｂ及び胴体７ｃが周辺に当接して折り鶴７が変形することのない、簡単な構造にて安価な包装・展示が可能な折り鶴７の装着体８となる。【００３２】  上述の実施例において、平面板９の材質を、厚み０．２ｍｍ程度の紙製としているが、弾力性を有するプラスチック板でもよい。【００３３】  また、分割線１０を、平面板９の上辺９ａに平行としているが、厳密に平行にする必要はなく、外観上において変化をもたせるため、ある程度の傾きをもって配設してもよい。【００３４】  また、装着体８には一羽の折り鶴７を固着しているが、分割線に沿って複数の折り鶴を並設してもよいし、また、複数の分割線を配設してもよい。【００３５】  また、折り鶴７の上方向の羽７ｆと胴体下部７ｉを分割線１０内に装入し、分割線１０の上下開口辺１０ａ・１０ｂを、折り鶴７の折り畳み溝７ｌ・７ｍにそれぞれ挟着して、この平面板９が水平でない状態であっても、遊動することのない、完全に固着できるものとしているが、平面板９の上辺９ａ側を下辺９ｃ側より高くした場合には、折り鶴７は、分割線１０の下開口辺１０ｂと、下方向なる羽７ｇの折り畳み溝７ｍにて固着され、上方向の羽７ｆを下降しないようにする必要はなく、分割線１０内には、折り鶴７の胴体下部７ｉのみ装入して、上方向なる羽７ｆは装入しなくても問題ないこととなる。
【実施例２】
【００３６】  実施の形態２を示す図１１・１２において、皿形分割線１３を配設した平面板１２に、折り畳んだ折り鶴７を固着する装着体１１の実施例である。【００３７】  装着体１１は、上述の実施例１の装着体８と同等であり、平面板１２、四辺１２ａ〜１２ｄ、分割線１４、上下開口辺１４ａ・１４ｂは、上述の実施例１の装着体８における平面板９、四辺９ａ〜９ｄ、分割線１０、上下開口辺１０ａ・１０ｂにそれぞれ相当するものであるが、分割線１４の両端１４ｃ・１４ｄには、平面板１２の左右辺１２ｄ・１２ｂに平行して、下辺１２ｃに向かう延長分割線１５・１６を配設し、この分割線１４と延長分割線１５・１６にてコ字状の皿形分割線１３を形成している。【００３８】  したがって、上述の実施例１と同等なる要領にて、折り鶴７の上方向の羽７ｆと胴体下部７ｉを、皿形分割線１３内に装入して、分割線１４の上下開口辺１４ａ・１４ｂを折り畳み溝７ｌ・７ｍにそれぞれ挟着し、折り畳まれた折り鶴７を装着体１１に固着することとなるが、分割線１４と延長分割線１５・１６をコ字状としており、分割線１４の上下開口辺１４ａ・１４ｂを開口する場合、コ字状の皿形分割線１３にて囲まれる部分は彎曲し易くなり、折り鶴７の上方向の羽７ｆと胴体下部７ｉの皿形分割線１３内への装入が容易となり、折り鶴７の固着はより簡単となり、簡単な構造にて安価な包装・展示が可能な折り鶴７の装着体１１となる。【００３９】  上述の実施例において、コ字状の皿形分割線１３を形成する延長分割線１５・１６は、平面板１２の下辺１２ｃに向かって配設し、分割線１４の下開口辺１４ｂを折り畳み溝７ｍに挟着しているが、平面板１２が水平でない状態にて、平面板１２の上辺１２ａ側を下辺１２ｃ側より高くした場合には、延長分割線１５・１６の先端１５ａ・１６ａを結ぶ折り目をもって、コ字状の皿形分割線１３にて囲まれる部分を彎曲し、この彎曲した状態の上に下方向の羽７ｇの裏側を着設して、折り鶴７が下降しないようにしてもよいし、また、延長分割線１５・１６を、平面板１２の上辺１２ａに向かって配設するところの皿形分割線としてもよい。【００４０】  また、延長分割線１５・１６を平面板１２の左右辺１２ｄ・１２ｂに平行としているが、これを厳密に平行とする必要もなく、また、皿形分割線１３を、曲線を含めたところの弓形の分割線としても問題はない。
【実施例３】
【００４１】  実施の形態３を示す図１３・１４において、対向分割線２０を配設した平面板１８に、折り畳んだ折り鶴７を固着する装着体１７の実施例である。【００４２】  装着体１７は、上述の実施例１の装着体８と同等であり、平面板１８、四辺１８ａ〜１８ｄ、分割線１９、上下開口辺１９ａ・１９ｂは、上述の実施例１の装着体８における平面板９、四辺９ａ〜９ｄ、分割線１０、上下開口辺１０ａ・１０ｂにそれぞれ相当するものであるが、平面板１８の上辺１８ａと分割線１９の間には、分割線１９に沿って対向分割線２０を配設している。【００４３】  したがって、上述の実施例１と同等な要領にて、折り鶴７の上方向の羽７ｆと胴体下部７ｉを、分割線１９内に装入して、分割線１９の上下開口辺１９ａ・１９ｂを折り畳み溝７ｌ・７ｍにそれぞれ挟着し、折り畳まれた折り鶴７は装着体１７に固着されることとなるが、さらに、装着体１７の裏側に併設された状態となった上方向の羽７ｆを、対向分割線２０より表側に突出するならば、一対の羽７ｆ・７ｇの両方が、頭７ａ、尾７ｂ及び胴体上部７ｈとともに装着体１７の表側に展示されて、折り鶴７の姿のほぼ全体が鑑賞できるところの、簡単な構造にて安価な包装・展示が可能な折り鶴７の装着体１７となる。【００４４】  上述の実施例において、上方向の羽７ｆは、分割線１９内に装入した後、さらに、対向分割線２０より突出して表側に展示しているが、上方向の羽７ｆを分割線１９内に装入することなく、分割線１９と対向分割線２０の間に付設できる帯状の押え板を用意し、この両端のみ平面板１８と接着し、接着していない中央部分の隙間に、上方向の羽７ｆを貫通させて表側に展示できるようにしてもよいが、この場合、対向分割線２０が不要となることは言うまでもない。
【実施例４】
【００４５】  実施の形態４を示す図１５・１６において、分割線２７を配設した平面板２６が、三角筒の斜面となる装着体２１に、折り畳んだ折り鶴７を固着する実施例である。【００４６】  装着体２１は、右斜面２２、左斜面２３、底面２４、及び、のり代２５より構成されている。【００４７】  右斜面２２は、上述の実施例１の装着体８と同等であり、平面板２６、四辺２６ａ〜２６ｄ、分割線２７、上下開口辺２７ａ・２７ｂは、上述の実施例１の装着体８における平面板９、四辺９ａ〜９ｄ、分割線１０、上下開口辺１０ａ・１０ｂにそれぞれ相当するものである。【００４８】  右斜面２２の平面板２６の上辺２６ａと、四辺２３ａ〜２３ｄからなる左斜面２３の上辺２３ａを、折り目２１ａをもって接合し、また、左斜面２３の下辺２３ｃと、四辺２４ａ〜２４ｄからなる底面２４の上辺２４ａを、折り目２１ｂをもって接合し、さらに、底面２４の下辺２４ｃと、四辺２５ａ〜２５ｄからなるのり代２５の上辺２５ａを、折り目２１ｃをもって接合し、こののり代２５を、右斜面２２の裏側に合成接着剤にて接着し、右斜面２２、左斜面２３及び底面２４の三面をもって三角筒となる装着体２１を形成している。【００４９】  したがって、上述の実施例１と同等なる要領にて、折り鶴７の上方向の羽７ｆと胴体下部７ｉを、右斜面２２の分割線２７内に装入して、分割線２７の上下開口辺２７ａ・２７ｂを折り畳み溝７ｌ・７ｍにそれぞれ挟着し、折り畳まれた折り鶴７を装着体２１に固着することとなるが、この装着体２１は三角筒として安定するとともに、折り鶴７が、ほぼ正面より鑑賞できるところの、より簡単な構造にてより安価な包装・展示が可能な折り鶴７の装着体２１となる。【００５０】  上述の実施例において、左右斜面２３・２２のうち、右斜面２２のみ分割線２７を配設しているが、左斜面２３にも分割線を配設して折り鶴７を固着してもよい。
【実施例５】
【００５１】  実施の形態５を示す図１７〜２０において、二等辺三角形の三角筒の折り畳み式の装着体２８に、折り畳んだ折り鶴７を固着する実施例である。【００５２】  装着体２８は、右斜面２９、左斜面３０、折り畳み底面３１、及び、のり代３２より構成されている。【００５３】  装着体２８は、上述の実施例４の装着体２１と同等であり、右斜面２９、左斜面３０、折り畳み底面３１、のり代３２、折り目２８ａ〜２８ｃ、平面板３５、四辺３０ａ〜３０ｄ・３１ａ〜３１ｄ・３２ａ〜３２ｄ・３５ａ〜３５ｄ、分割線３６、上下開口辺３６ａ・３６ｂは、上述の実施例４の装着体２１における右斜面２２、左斜面２３、底面２４、のり代２５、平面板２６、折り目２１ａ〜２１ｃ、四辺２３ａ〜２３ｄ・２４ａ〜２４ｄ・２５ａ〜２５ｄ・２６ａ〜２６ｄ、分割線２７、上下開口辺２７ａ・２７ｂそれぞれ相当するものであるが、右斜面２９と左斜面３０は同等の大きさとし、また、折り畳み底面３１には、折り目２８ｂ・２８ｃに平行して、二等分するところの折り目２８ｄを配設して、互いに同等の大きさからなる一対の左右分離底板３４・３３を形成している。【００５４】  折り畳み底面３１の対向する二角２８ｅ・２８ｆ内には、厚み０．５ｍｍ程度の普通紙にて、四辺３７ａ〜３７ｄからなる四辺形の押止板３７の左右辺３７ｄ・３７ｂを挟着している。【００５５】  したがって、上述の実施例４と同等なる要領にて、折り鶴７の上方向の羽７ｆと胴体下部７ｉを、右斜面２９の分割線３６内に装入して、分割線３６の上下開口辺３６ａ・３６ｂを折り畳み溝７ｌ・７ｍにそれぞれ挟着し、折り畳まれた折り鶴７を装着体２８に固着することとなるが、この装着体２８は断面形状が二等辺三角形の三角筒として安定し、折り鶴７が、ほぼ正面より鑑賞できるとともに、左右分離底板３４・３３を、折り目２８ｄをもって扁平状に重ね合わせることにより、左右斜面３０・２９が扁平状に重ね合わせられる折り畳み式となる。【００５６】  なお、この三角筒を安定させるためには、折り畳み底面３１が折り目２８ｄによって折り畳まれないことであり、折り畳み底面３１上に押止板３７を載設し、この押止板３７を取り除かない限り、折り畳み底面３１が重ね合わせられることはなく、折り畳み式の装着体２８の三角筒は安定することとなり、より簡単な構造にてより安価な包装・展示が可能な装着体２８となる。【００５７】  上述の実施例において、折り畳み底面３１上に押止板３７を載設しているが、この押止板３７がなくても三角筒が安定するのであれば、押止板３７は不要であることは言うまでもないが、この押止板３７の裏側と、一対の左右分離底板３４・３３のうちの一方の分離底板を合成接着剤にて互いに接着しておくならば、装着体２８の組立は簡単となり、また、この接着されていない他方の分離底板の先端に、折り返しを設けて互いに接着して押止板３７を補強して、より堅固な装着体２８としてもよい。
【実施例６】
【００５８】  実施の形態６を示す図２１〜２２において、三角筒の一対の斜面３９・４０に、分割線４４と斜面分割線４５を配設した装着体３８に、折り畳んだ折り鶴７を固着する実施例である。【００５９】  装着体３８は、右斜面３９、左斜面４０、底面４１、及び、のり代４２より構成されている。【００６０】  装着体３８は、上述の実施例４の装着体２１と同等であり、右斜面３９、左斜面４０、底面４１、のり代４２、折り目３８ａ〜３８ｃ、平面板４３、四辺４０ａ〜４０ｄ・４１ａ〜４１ｄ・４２ａ〜４２ｄ、４３ａ〜４３ｄ、分割線４４、上下開口辺４４ａ・４４ｂは、上述の実施例４の装着体２１における右斜面２２、左斜面２３、底面２４、のり代２５、平面板２６、折り目２１ａ〜２１ｃ、四辺２３ａ〜２３ｄ・２４ａ〜２４ｄ・２５ａ〜２５ｄ、２６ａ〜２６ｄ、分割線２７、上下開口辺２７ａ・２７ｂそれぞれ相当するものであるが、右斜面３９の分割線４４と対称となる斜面分割線４５を、三角筒の頂上となる右斜面３９と左斜面４０の接合辺４０ａ・４３ａを対称軸として、左斜面４０に配設している。【００６１】  したがって、上述の実施例４と同等なる要領にて、折り鶴７の上方向の羽７ｆと胴体下部７ｉを、右斜面３９の分割線４４内に装入して、分割線４４の上下開口辺４４ａ・４４ｂを折り畳み溝７ｌ・７ｍにそれぞれ挟着し、折り畳まれた折り鶴７を装着体３８に固着することとなるが、右斜面３９の分割線４４内に装入されて、三角筒内に位置するところの折り鶴７の上方向の羽７ｆを、左斜面４０の斜面分割線４５より突出することにより、上方向の羽７ｆは左斜面４０表側に展示されて、折り鶴７の姿のほぼ全体が鑑賞できる装着体３８となる。【００６２】  上述の実施例において、折り鶴７の上方向の羽７ｆを、右斜面３９の分割線４４内に装入し、さらに、左斜面４０の斜面分割線４５より突出する固着要領としているが、これは斜面分割線４５が、上述の実施例４又は５に追加されることを説明し易くするためであり、実際の上方向の羽７ｆの固着においては、分割線４４と斜面分割線４５に、横方向より同時に装入すればよいことは言うまでもない。【００６３】  なお、上述の実施例３で述べたところの対向分割線を配設した平面板を、右斜面３９とする場合には、折り鶴７の上方向の羽７ｆは、左斜面４０の斜面分割線４５より突出されて、対向分割線は無くてもよいけれども、この対向分割線があっても、折り鶴７の固着においては何も支障となるものではなく、上方向の羽７ｆは、左右斜面４０・３９のどちらでも突出できることとなる。
【実施例７】
【００６４】  実施の形態７を示す図２３・２４において、分割線５１を配設した平面板５０が、半円筒の彎曲面となる装着体４６に、折り畳んだ折り鶴７を固着する実施例である。【００６５】  装着体４６は、彎曲面４７、底面４８、及び、のり代４９より構成されている。【００６６】  彎曲面４７は、上述の実施例１の装着体８と同等であり、平面板５０、四辺５０ａ〜５０ｄ、分割線５１、上下開口辺５１ａ・５１ｂは、上述の実施例１の装着体８における平面板９、四辺９ａ〜９ｄ、分割線１０、上下開口辺１０ａ・１０ｂにそれぞれ相当するものであるが、この平面板５０を、対向する上下対辺５０ａ・５０ｃを支点として彎曲している。【００６７】  彎曲面４７の平面板５０の上辺５０ａと、四辺４８ａ〜４８ｄからなる底面４８の上辺４８ａを、折り目４６ａをもって接合し、また、底面４８の下辺４８ｃと、四辺４９ａ〜４９ｄからなるのり代４９の上辺４９ａを、折り目４６ｂをもって接合して、こののり代４９を、彎曲面４７の裏側に合成接着剤にて接着し、彎曲面４７と底面４８をもって、断面形状が半円形の半円筒となる装着体４６を形成している。【００６８】  したがって、上述の実施例１と同等なる要領にて、折り鶴７の上方向の羽７ｆと胴体下部７ｉを、彎曲面４７の分割線５１内に装入して、分割線５１の上下開口辺５１ａ・５１ｂを折り畳み溝７ｌ・７ｍにそれぞれ挟着し、折り畳まれた折り鶴７を装着体４６に固着することとなるが、この装着体４６は半円筒として安定するとともに、折り鶴７が、ほぼ正面より鑑賞できるところの、より簡単な構造にてより安価な包装・展示が可能な折り鶴７の装着体４６となる。
【実施例８】
【００６９】  実施の形態８を示す図２５〜２７において、彎曲面５３と多層底面６１からなる半円筒の折り畳み式の装着体５２に、折り畳んだ折り鶴７を固着する実施例である。【００７０】  装着体５２は、彎曲面５３、底板５４、及び、のり代５５より構成されている。【００７１】  彎曲面５３は、上述の実施例７の彎曲面４７と同等であり、平面板５９、四辺５９ａ〜５９ｄ、分割線６０、上下開口辺６０ａ・６０ｂは、上述の実施例７の彎曲面４７における平面板５０、四辺５０ａ〜５０ｄ、分割線５１、上下開口辺５１ａ・５１ｂにそれぞれ相当するものである。【００７２】  彎曲面５３の平面板５９の上辺５９ａと、四辺５４ａ〜５４ｄからなる底板５４の上辺５４ａを、折り目５２ａをもって接合し、また、底板５４の下辺５４ｃと、四辺５５ａ〜５５ｄからなるのり代５５の上辺５５ａを、折り目５２ｄをもって接合して、こののり代５５を、彎曲面５３の裏側に合成接着剤にて接着し、この彎曲面５３の平面板５９と底板５４が、折り目５２ａ・５２ｄをもって扁平状に重ね合わせられるものとしている。【００７３】  底板５４には、両端の折り目５２ａ・５２ｄに平行して三等分するところの蛇腹折り目５２ｂ・５２ｃを配設し、下底面５６、中底面５７、上底面５８の三面より構成されており、この三面を蛇腹折り目５２ｂ・５２ｃをもって折り重ねて一枚の多層底面６１とし、この下底面５６と中底面５７、及び、中底面５７と上底面５８を、互いに合成接着剤にて接着したところの多層底面６１と彎曲面５３をもって、断面形状が半円形の半円筒となる装着体５２を形成している。【００７４】  したがって、上述の実施例７と同等なる要領にて、折り鶴７の上方向の羽７ｆと胴体下部７ｉを、彎曲面５３の分割線６０内に装入して、分割線６０の上下開口辺６０ａ・６０ｂを折り畳み溝７ｌ・７ｍにそれぞれ挟着し、折り畳まれた折り鶴７を装着体５２に固着することとなるが、この装着体５２は半円筒として安定し、折り鶴７が、ほぼ正面より鑑賞できるとともに、半円筒の多層底面６１を形成した下底面５６・中底面５７・上底面５８の三面を、一枚板の底板５４に開放して、この開放した底板５４と、彎曲面５３の平面板５９を、底板５４の両端の折り目５２ａ・５２ｄをもって扁平状に重ね合わせる折り畳み式となり、より簡単な構造にてより安価な包装・展示が可能な装着体５２となる。
【実施例９】
【００７５】  実施の形態９を示す図２８〜３０において、分割線６９を配設した平面板６８が、円筒の彎曲面６３となる装着体６２に、折り畳んだ折り鶴７を固着する実施例である。【００７６】  装着体６２は、彎曲面６３、左右重ね代６４・６５、及び、左右延長板６６・６７より構成されている。【００７７】  彎曲面６３は、上述の実施例１の装着体８と同等であり、平面板６８、四辺６８ａ〜６８ｄ、分割線６９、上下開口辺６９ａ・６９ｂは、上述の実施例１の装着体８における平面板９、四辺９ａ〜９ｄ、分割線１０、上下開口辺１０ａ・１０ｂにそれぞれ相当するものであるが、平面板６８の対向する上下対辺６８ａ・６８ｃの延長に、四辺６４ａ〜６４ｄ・６５ａ〜６５ｄからなる左右重ね代６４・６５を設け、さらに、この左右重ね代６４・６５の先端の辺６４ｃ・６５ｃの延長には、この辺６４ｃ・６５ｃ上にそれぞれの弦６６ａ・６７ａが位置するところの弓形の左右延長板６６・６７を設けており、また、左右重ね代６４・６５のうちの右重ね代６５を、左重ね代６４の上に重ね合わせて、平面板６８を彎曲するところの円筒としている。【００７８】  平面板６８上の左右には、左右延長板６６・６７と同等な大きさからなる弓形の左右開放板７２・７３を配設しており、この左右開放板７２・７３は、弦７０ａ・７１ａが平面板６８の対向する上下対辺６８ａ・６８ｃ上に位置して、頂点７０ｂ・７１ｂが互いに向き合うところの一対の弓形分割線７０・７１より形成されるものであるが、円筒の下部にて、左右重ね代６４・６５は互いに重ね合わせられており、左右開放板７２・７３はそれぞれ円筒の外側に、水平方向に開放して、平面板６８には弓形の左右開口７２ａ・７３ａを形成することになる。【００７９】  左右延長板６６・６７のうちの一方の右延長板６７は、左開口７２ａ内に装入されて左開放板７２上に載置され、また、他方の左延長板６６は、開放した右開放板７３を上にして併設されることとなり、これらの併設された右延長板６７と左開放板７２、及び、右開放板７３と左延長板６６をそれぞれ合成接着剤にて接着して、円筒の下部にて左右に開放する一対の支持板７４・７５としている。【００８０】  したがって、上述の実施例１と同等なる要領にて、折り鶴７の上方向の羽７ｆと胴体下部７ｉを、彎曲面６３の分割線６９内に装入して、分割線６９の上下開口辺６９ａ・６９ｂを折り畳み溝７ｌ・７ｍにそれぞれ挟着し、折り畳まれた折り鶴７を装着体６２に固着することとなるが、この装着体６２は円筒とし、また、円筒の下部にて水平状態となる一対の支持板７４・７５により安定するとともに、折り鶴７が、ほぼ正面より鑑賞できるところの、より簡単な構造にてより安価な包装・展示が可能な装着体６２となる。【００８１】  上述の実施例において、左右重ね代６４・６５のうち、右重ね代６５を左重ね代６４の上に重ね合わせているが、反対に、左重ね代６４を右重ね代６５の上に重ね合わせても問題ないことは言うまでもない。
【符号の説明】
【００８２】                                          １、４、７  折り鶴
２  収納台紙
３  接着テープ
５  凹凸部
６  展示台
８、１１、１７、２１、２８、３８、４６、５２、６２  装着体
９、１２、１８、２６、３５、４３、５０、５９、６８  平面板
１０、１４、１９、２７、３６、４４、５１、６０、６９  分割線
１３  皿形分割線
１５、１６  延長分割線
２０  対向分割線
２２、２９、３９  右斜面
２３、３０、４０  左斜面
２４、４１、４８、５４  底面
２５、３２、４２、４９、５５  のり代
３１  折り畳み底面
３３  右分離底板
３４  左分離底板
３７  押止板
４５  斜面分割線
４７、５３、６３  彎曲面
５６  下底面
５７  中底面
５８  上底面
６１  多層底面
６４  左重ね代
６５  右重ね代
６６  左延長板
６７  右延長板
７０  左弓形分割線
７１  右弓形分割線
７２  左開放板
７３  右開放板
７４  左支持板
７５  右支持板
【図１】
0003203842.tif 000003
【図２】
0003203842.tif 000004
【図３】
0003203842.tif 000005
【図４】
0003203842.tif 000006
【図５】
0003203842.tif 000007
【図６】
0003203842.tif 000008
【図７】
0003203842.tif 000009
【図８】
0003203842.tif 000010
【図９】
0003203842.tif 000011
【図１０】
0003203842.tif 000012
【図１１】
0003203842.tif 000013
【図１２】
0003203842.tif 000014
【図１３】
0003203842.tif 000015
【図１４】
0003203842.tif 000016
【図１５】
0003203842.tif 000017
【図１６】
0003203842.tif 000018
【図１７】
0003203842.tif 000019
【図１８】
0003203842.tif 000020
【図１９】
0003203842.tif 000021
【図２０】
0003203842.tif 000022
【図２１】
0003203842.tif 000023
【図２２】
0003203842.tif 000024
【図２３】
0003203842.tif 000025
【図２４】
0003203842.tif 000026
【図２５】
0003203842.tif 000027
【図２６】
0003203842.tif 000028
【図２７】
0003203842.tif 000029
【図２８】
0003203842.tif 000030
【図２９】
0003203842.tif 000031
【図３０】
0003203842.tif 000032